(57)【要約】      （修正有）【課題】一着で複数の異なる色彩や模様を表出させて、イベント等において着用者を識別できるリバーシブル衣服を提供する。【解決手段】第一の衣服片１１と、第一の衣服片の裾部に接合された第二の衣服片１２とを有し、第一の衣服片は前身頃１５及び後見頃１６により構成されると共に、第二の衣服片は前身頃及び後見頃により構成され、第一の衣服片の前身頃及び後見頃、並びに第二の衣服片は前身頃及び後見頃の表裏いずれの面部も表出させた状態で着用可能に形成され、第一の衣服片部の前身頃の裾部１３は第二の衣服片部の前身頃の裾部１４に接合されると共に、第一の衣服片部の後見頃の裾部は第二衣服片部の後見頃の裾部に接合され、第一の衣服片及び第二の衣服片は、いずれか一方の表側１５ａ、１６ａをいずれか他方の裏側１５ｂ、１６ｂに配置させることにより第一の衣服片及び第二の衣服片のいずれか一方を表出させて着用する。【選択図】図１
0003234320.tif 000002
【実用新案登録請求の範囲】
【請求項１】
第一の衣服片と、第一の衣服片の裾部に接合された第二の衣服片とを有し、
第一の衣服片は前身頃及び後見頃により構成されると共に、前記第二の衣服片は前身頃及び後見頃により構成され、
前記第一の衣服片の前身頃及び後見頃、並びに前記第二の衣服片は前身頃及び後見頃の表裏いずれの面部も表出させた状態で着用可能に形成され、
前記第一の衣服片部の前身頃の裾部は前記第二の衣服片部の前身頃の裾部に接合されると共に、前記第一の衣服片部の後見頃の裾部は前記第二衣服片部の後見頃の裾部に接合され、
前記第一の衣服片及び前記第二の衣服片は、いずれか一方をいずれか他方の裏側に配置させることにより前記第一の衣服片及び前記第二の衣服片のいずれか一方を表出させて着用することを特徴とするリバーシブル衣服。
【請求項２】
前記第一の衣服片の前身頃及び後見頃、並びに前記第二の衣服片は前身頃及び後見頃は、全て同一の形状および大きさに形成されていることを特徴とする請求項１記載のリバーシブル衣服。
【請求項３】
前記第一の衣服片及び前記第二の衣服片は、首通し部が裾部方向へカーブして切りかかれていると共に、両肩部はノースリーブであって全体としてランニングシャツ状に形成されていることを特徴とする請求項２記載のリバーシブル衣服。
【請求項４】
前記第一の衣服片の前身頃及び後見頃、並びに前記第二の衣服片は前身頃及び後見頃は、前記第一の衣服片の前身頃の前面部及び前記第一の衣服片の後見頃の背面部、前記第一の衣服片の前身頃の裏面部及び前記第一の衣服片の後見頃の裏面部、前記第二の衣服片の前身頃の前面部及び前記第二の衣服片の後見頃の背面部、前記第二の衣服片の前身頃の裏面部及び前記第二の衣服片の後見頃の裏面部は、それぞれ同一の色彩により形成されていることを特徴とする請求項３記載のリバーシブル衣服。
【請求項５】
前記リバーシブル衣服はビブスであることを特徴とする請求項１〜４のいずれか１項に記載のリバーシブル衣服。
【考案の詳細な説明】
【技術分野】
【０００１】
本考案は、リバーシブル衣服の改良に関する。
【背景技術】
【０００２】
従来、表と裏の両方が着用可能なリバーシブルの衣服がある。このような衣服は、表生と裏生地とが重ねられて縫い合わされているものや、表と裏の両面が外面として着用可能な一枚の生地で作られているものがある。表生地と裏生地が重ねられて作られているものは、各生地の裏面同士を合わせて重ねられ、縫い代が互いの間に折り込まれて生地端のほつれが見えないよう覆われて処理され、表と裏のいずれから見ても見苦しくないように作られている。
【０００３】
例えば特許文献１に開示されたリバーシブル衣服は、表裏両面を着用可能とし、さらに前身頃の襟刳と後見頃の襟刳を、いずれも前襟刳として着用することができる深さ、形状の襟今としたものである。これによれば、襟の形が２種類で生地の種類が２種類の、計４種類のデザインの衣服として利用できる。
【先行技術文献】
【特許文献】
【０００４】
【特許文献１】特開２００１−１９２９０５号公報
【考案の概要】
【考案が解決しようとする課題】
【０００５】
上記従来の技術の場合、表生地と裏生地のいずれかを表側にして着用することができるだけで、表側に出せる面は基本的に２種類しかないものであった。したがって、用途に合わせて面を変えることができるのは、２通りのパターンのみである、という不具合があった。
【０００６】
一方で、様々なイベントにおいて参加者を識別するために、いわゆるビブスが使用されている。この場合、イベントにおいて、参加者を各グループに区別する必要がある場合もあるが、複数のグループに分類する際に、異なる色彩を有する複数種類のビブスを準備することは煩雑であることから、例えば、一種類のビブスで複数の模様、色彩を表出させて着用し、模様、色彩により視覚的に各グループごとの識別ができるようにすれば便利である。
【０００７】
本考案は、上記問題に鑑み、異なる色彩、模様の複数種類の衣服を準備する必要がなく、一着で複数の異なる色彩や模様を表出させて、イベント等において着用者を識別できるリバーシブル衣服を提供することにある。
【課題を解決するための手段】
【０００８】
上記課題を解決するために、請求項１に記載の考案は、第一の衣服片と、第一の衣服片の裾部に接合された第二の衣服片とを有し、第一の衣服片は前身頃及び後見頃により構成されると共に、前記第二の衣服片は前身頃及び後見頃により構成され、前記第一の衣服片の前身頃及び後見頃、並びに前記第二の衣服片は前身頃及び後見頃の表裏いずれの面部も表出させた状態で着用可能に形成され、前記第一の衣服片部の前身頃の裾部は前記第二の衣服片部の前身頃の裾部に接合されると共に、前記第一の衣服片部の後見頃の裾部は前記第二衣服片部の後見頃の裾部に接合され、前記第一の衣服片及び前記第二の衣服片は、いずれか一方をいずれか他方の裏側に配置させることにより前記第一の衣服片及び前記第二の衣服片のいずれか一方を表出させて着用することを特徴とするリバーシブル衣服である。
【０００９】
請求項２記載の考案は、前記第一の衣服片の前身頃及び後見頃、並びに前記第二の衣服片は前身頃及び後見頃は、全て同一の形状および大きさに形成されていることを特徴とする請求項１記載のリバーシブル衣服である。
【００１０】
請求項３記載の考案は、前記第一の衣服片及び前記第二の衣服片は、首通し部が裾部方向へカーブして切りかかれていると共に、両肩部はノースリーブであって、ランニングシャツ状に形成されていることを特徴とする請求項２記載のリバーシブル衣服である。
【００１１】
請求項４記載の考案は、前記第一の衣服片の前身頃及び後見頃、並びに前記第二の衣服片は前身頃及び後見頃は、前記第一の衣服片の前身頃の前面部及び前記第一の衣服片の後見頃の背面部、前記第一の衣服片の前身頃の裏面部及び前記第一の衣服片の後見頃の裏面部、前記第二の衣服片の前身頃の前面部及び前記第二の衣服片の後見頃の背面部、前記第二の衣服片の前身頃の裏面部及び前記第二の衣服片の後見頃の裏面部は、それぞれ同一の色彩により形成されていることを特徴とする請求項３記載のリバーシブル衣服である。
【００１２】
請求項５記載の考案は、前記リバーシブル衣服はビブスであることを特徴とする請求項１〜４のいずれか１項に記載のリバーシブル衣服である。
【考案の効果】
【００１３】
請求項１の考案のリバーシブル衣服によれば、第一の衣服片と、第一の衣服片の裾部に接合された第二の衣服片とを有し、第一の衣服片は前身頃及び後見頃により構成されると共に、前記第二の衣服片は前身頃及び後見頃により構成され、前記第一の衣服片の前身頃及び後見頃、並びに前記第二の衣服片は前身頃及び後見頃の表裏いずれの面部も表出させた状態で着用可能に形成され、前記第一の衣服片部の前身頃の裾部は前記第二の衣服片部の前身頃の裾部に接合されると共に、前記第一の衣服片部の後見頃の裾部は前記第二衣服片部の後見頃の裾部に接合され、前記第一の衣服片及び前記第二の衣服片は、いずれか一方をいずれか他方の裏側に配置させることにより前記第一の衣服片及び前記第二の衣服片のいずれか一方を表出させて着用することを特徴とするリバーシブル衣服であって、２つの衣服片が互いに裾部で接合され、一方の衣服片が他方の衣服片の裏面側内部に折り込まれた状態で着用されるように構成されていることから、一方の衣服片の前身頃及び後見頃を、他方の衣服片の前身頃及び後見頃の間から内部に入るように折り入れ、他方の衣服片の前身頃及び後見頃のそれぞれの表面を表出させた状態で着用することが可能となる。
【００１４】
その結果、第一の衣服片の前身頃及び後見頃の表側及び裏側、及び第二の衣服片の前身頃及び後見頃の表側及び裏側の、４種類の面を表出させた状態で、リバーシブルに着用することが可能となる。その結果、各面のカラー、柄を異ならせることにより、例えば、各種イベントにおいて本考案に係る一種類のリバーシブル衣服であっても、折り返すことにより４種類の色彩、柄等を表出させることができるため、イベント等において、参加者を４種類のグループに視覚的に識別、分別することができ、複数のグループ分けを行う場合に、複数種類の、識別用の衣服等を準備する必要がなく、準備作業、着用作業及びコストを軽減することができる。
【００１５】
また、本考案に係るリバーシブル衣服が小学校の各種イベントにおいて教材として使用された場合には、特に、低学年の児童には、４種類の異なる色柄の面を表出させるように折り返すことが知育ともなり、知育も同時にできる体育教材としても使用することができる。
【００１６】
請求項２記載の考案は、前記第一の衣服片の前身頃及び後見頃、並びに前記第二の衣服片は前身頃及び後見頃は、全て同一の形状および大きさに形成されていることを特徴とする請求項１記載のリバーシブル衣服であることから、いずれかの衣服片を他方の衣服片内部に折り込んだ場合には、複数の衣服片を有しながら、単一の衣服と同様に使用することが可能となる。
【００１７】
請求項３記載の考案は、前記第一の衣服片及び前記第二の衣服片は、首通し部が裾部方向へカーブして切りかかれて形成されていると共に、両肩部はノースリーブのランニングシャツ状に形成されていることから、全体としてランニングシャツ形状に形成されたリバーシブル衣服を提供することができる。
【００１８】
請求項４記載の考案は、前記第一の衣服片の前身頃及び後見頃、並びに前記第二の衣服片は前身頃及び後見頃は、前記第一の衣服片の前身頃の前面部及び前記第一の衣服片の後見頃の背面部、前記第一の衣服片の前身頃の裏面部及び前記第一の衣服片の後見頃の裏面部、前記第二の衣服片の前身頃の前面部及び前記第二の衣服片の後見頃の背面部、前記第二の衣服片の前身頃の裏面部及び前記第二の衣服片の後見頃の裏面部は、それぞれ同一の色彩により形成されていることから、第一の衣服片の前身頃及び後見頃の表裏、第二の衣服片の前身頃及び後見頃の表裏のいずれの面を表出させた場合であっても、リバーシブル衣服を着用した場合に、身体の正面側も背中側も同一の色彩、模様の衣服として着用することができ、着用者の識別性を高めることができる。
【００１９】
請求項５記載の考案は、前記リバーシブル衣服はビブスであることから、一着で、折り返すことにより４種類の衣服表面を形成できる、使用価値の高いビブスを提供することが可能となる。
【図面の簡単な説明】
【００２０】
【図１】本考案に係るリバーシブル衣服としてのビブスの展開状態を示す概略図である。
【図２】本考案の実施形態におけるリバーシブル衣服としてのビブスの第一使用形態を示す概略図である。
【図３】本考案の実施形態におけるリバーシブル衣服としてのビブスの第二使用形態を示す概略図である。
【図４】本考案の実施形態におけるリバーシブル衣服としてのビブスの他の使用状態へ至るための展開状態を示す概略図である。
【図５】本考案の実施形態におけるリバーシブル衣服としてのビブスの第三使用形態を示す概略図である。
【図６】本考案の実施形態におけるリバーシブル衣服としてのビブスの第四使用形態を示す概略図である。
【考案を実施するための形態】
【００２１】
以下、本考案の詳細及びその他の特徴について、実施の形態に基づいて説明する。
【００２２】
本実施形態では、本考案のリバーシブル衣服としてのビブスについて説明する。但し、本考案は、以下に説明するビブスに限定されない。
【００２３】
図１は、リバーシブル衣服としてのビブス１０を示す。
ビブスとは、主に、スポーツの練習時の組み分けや、選手に番号を振り当てるために着用するベストの一種である。
【００２４】
本実施の形態に係るビブス１０は全体としてノースリーブのランニングシャツ状に形成され、第一衣服片１１の裾部１３及び第二衣服片１１の裾部１４において互いに縫合され、第一衣服片１１の内面側に折り込まれて第一衣服片１１の内方に配置される第二衣服片１１とを有しており、第一衣服片１１と第二衣服片１２とは同一の寸法、形状、構成からなる。
【００２５】
第一衣服片１１及び第二衣服片１２は、夫々、上端部に開口された首を通すネックホール１０ａ、１０ａ及び両側部に開口されたアームホール１０ｂ、１０ｂを有している。その結果、それぞれ、前身頃１５と後見頃１６とを有し、前身頃１５、１５及び後見頃１６、１６は両側部で縫合され、第一衣服片１１単体でランニングシャツ様に着用できるように形成されているととともに、第二衣服片１１単体でランニングシャツ様に着用できるように形成されている。
【００２６】
また、本実施の形態にあっては、第二衣服片１２を第一衣服片１１を形成する前身頃１５及び後見頃１６の間に、裾部１３から折り畳んで入れて第一衣服片１１に重ね、図２に示す、平面視において単一のビブス１０の状態に形成することができる。
【００２７】
この場合、第一衣服片１１及び第二衣服片１２に、夫々、設けられたネックホール１０ａ及びアームホール１０ｂは、同一部位に形成され、かつ全体が同一形状および同一の大きさに形成されていることから、第一衣服片１１及び第二衣服片１２のいずれかを、他方の内方に配置して重ねた状態の場合には、着用者は、一着のビブスとして裾部１３からかぶり、腕及び頭を通して着用することができる。
【００２８】
この場合、本実施の形態にあっては、第一衣服片１１の前身頃１５の表側１５ａ及び後見頃１６の表側１６ｂは第一色（例えば、緑色）で着色して形成されており、第二衣服片１５の前身頃１５及び後見頃１６の表側１５ａ、１６ａは第二色（例えば、赤色）で着色して形成されている。
【００２９】
第一衣服片１５の前身頃１５及び後見頃１６の裏側１５ｂ、１６ｂは、第三色（例えば、黄色）で着色されていると共に、第二衣服片１２の前身頃１５及び後見頃１６の裏側１５ｂ、１６ｂは第四色（例えば、黒色）で着色されている。
従って、上記のように図２の状態で使用者が着用した場合には、この状態（本実施の形態にあっては、図２中前身頃１５に「１」と表示）で着用した着用者は、集団の中で、着用者のみが第一色（例えば、緑色）により統一的に視覚的に区別して認識されることができる。
【００３０】
次に、本実施の形態に係るビブス１０の他の使用形態を説明する。
本実施の形態に係るビブス１０を他の使用形態において使用する場合、図２に示す使用形態から一度、図１に示す使用形態に展開する。即ち、第一衣服片１１の内部から裾部１３を介して、内方へ折り込んだ第二衣服片１２を抜き出す。この場合、上記のように、第二衣服片１２は前身頃１５及び後見頃１６共に、前記第一色（例えば緑色）とは異なる第二色（例えば赤色）に着色されている。
【００３１】
その後、上記の同様の手法により、第一衣服片１１を第二衣服片１２の内方へ、前記同様の手法により、裾部１４を介して折り込む。これにより、図３に示すように、第二色（例えば赤色）に着色された第二衣服片１２の前身頃１５及び後見頃１６を有するビブス１０として着用することができる。
従って、この状態（本実施の形態にあっては、図３中前身頃１５に「２」と表示）で着用した着用者は、前身頃１５の表側１５ａ及び裏側１５ｂは同一の第二色（例えば、赤色）により形成されていることから、この状態で着用した着用者は、ある団体の中で、第二色により視覚的に統一的に識別されることができる。
【００３２】
次に、本実施の形態に係るビブス１０のさらにその他の使用形態を説明する。
図３に示す上記第二色が表出している状態から、第二衣服片１２の、例えば、ネックホール１０ａを介して、内方に折り込まれて配置されている第一衣服片１１を抜き出して図４に示す状態にする。
この状態において、第一衣服片１１は、図２に示す状態における前身頃１５の裏側１５ａ及び後見頃１６の裏側１６ｂが表出しており、第一衣服片１１の前身頃１５及び後見頃１６の裏側１５ｂ、１６ｂは、それぞれ、前記第一色（緑色）及び第二色（赤色）とは異なる第三色（例えば黄色）が付されている。
【００３３】
また、第一衣服片１１の裾部１３に裾部１４が接合された第二衣服片１２は、図１に示す状態における状態における前身頃１５の裏側１５ｂ及び後見頃１６の裏側１６ｂが表出しており、第一色（例えば、緑色）、第二色（例えば、赤色）、第三色（例えば、黄色）とは異なる色（例えば、黒色）が付されている。
【００３４】
従って、この図４に示す状態において、図１と図２の関係のように、第二衣服片１２を、第一衣服片１１の裾部１３を介して、第一衣服片１１の前身頃１５及び後見頃１６の間に折り込む。
これにより図５に示すように、第一衣服片１１により第三色（例えば、黄色）が前身頃１５及び後見頃１６において表出するビブスとして形成することができる。その結果、この状態（本実施の形態にあっては、前身頃１５に「３」と表示）で本実施の形態に係るビブス１０を着用した場合には、第三色（例えば、黄色）により着用者を、他の集団とは色彩により識別することが可能となる。
【００３５】
さらに、本実施の形態に係るビブス１０の、さらにその他の使用形態を説明する。
次に、この状態から、第一衣服片１１内方から裾部１３を介して下方に第二衣服片１１を抜き出して図４の状態にし、その後、第二衣服片１２の裾部１３を介して、第一衣服片１１を第二衣服片１２の内方に折り込み、第二衣服片１２によるビブスとして形成することができる。
この場合、第二衣服片１２の前身頃１５の裏側１５ｂ及び後見頃１６の裏側１６ｂは、第一色（例えば、緑色）、第二色（例えば、赤色）、第三色（例えば、黄色）とは異なる第四色（例えば、黒色）が付されている。
【００３６】
従って、図６に示すように、第二衣服片１２により第四色（例えば黒色）が前身頃１５及び後見頃１６において表出するビブスとして形成することができる。その結果、この状態（本実施の形態にあっては、前身頃１５に「４」と表示）で本実施の形態に係るビブス１０を着用した場合には、第四色（例えば、黒色）により、着用者を他の集団とは色彩により識別することが可能となる。
【００３７】
以上、本考案のいくつかの実施形態を説明したが、これらの実施形態は例として掲示したものであり、考案の範囲を限定していない。例えば、本実施の形態にあっては、４つの表出する前身頃及び後見頃が４種類の異なる色彩により区別される場合を例に説明したが、４種類の異なる柄により区別してもよく、また、それ以外のデザインにより区別してもよい。
上記実施形態は、その他の様々な形態で実施されることが可能であり、考案の要旨を逸脱しない範囲で、種々の省略、置き換え、変更を行うことができる。これら実施形態やその変形は、考案の範囲や要旨に含まれるとともに、特許請求の範囲に記載された考案とその均等の範囲に含まれる。
【符号の説明】
【００３８】
１０  リバーシブル衣服（ビブス）
１０ａ  ネックホール
１０ｂ  アームホール
１１  第一衣服片
１２  第二衣服片
１３  裾部
１４  裾部
１５  前身頃
１５ａ  表側
１５ｂ  裏側
１６  後見頃
１６ａ  表側
１６ｂ  裏側
【図１】
0003234320.tif 000003
【図２】
0003234320.tif 000004
【図３】
0003234320.tif 000005
【図４】
0003234320.tif 000006
【図５】
0003234320.tif 000007
【図６】
0003234320.tif 000008